(57)【要約】【課題】風向調整羽根の揺動範囲に基づいて吸込口を開状態にするか否かを決定し、ショートサーキットを未然に防止する空調室内機を提供する。【解決手段】空調室内機１０では、制御部４０が、スイングモードにおいて閾位置（風向調整羽根３１の傾斜角度θが閾角度θｓとなる位置）が風向調整羽根３１のスイング範囲にある場合には、開閉板２９を介して下部吸込口２１を閉じるので、ショートサーキットを防止することができる。また、風向調整羽根３１が閾位置を挟んでスイングするたびに開閉板２９が下部吸込口２１を開閉する事態を回避することができるので、ユーザーに視覚的不快感および聴覚的不快感を与えることも防止することができる。【選択図】図５
2014156950.tif 000002
【特許請求の範囲】
【請求項１】
少なくとも２つの吸込口と調和空気を吹き出す吹出口とが設けられている壁掛け式の空調室内機であって、
前記吹出口よりも下方または後方に位置する第１吸込口（２１）と、前記吹出口よりも上方に位置する第２吸込口（１２）とを有する本体ケーシング（１１）と、
前記第１吸込口（２１）を開閉する開閉板（２９）と、
水平面に対する傾斜角度を変更して前記調和空気の吹出角度を調整する風向調整羽根（３１）と、
前記傾斜角度を自動で変更することによって前記風向調整羽根（３１）を揺動させるスイングモードが設定されている制御部（４０）と、
を備え、
前記風向調整羽根（３１）の前記傾斜角度がとり得る範囲の中に、前記制御部（４０）が前記第１吸込口（２１）の開閉の判断を行うための閾値となる閾角度が設定されており、
前記制御部（４０）は、前記スイングモードにおいて、前記閾角度が前記風向調整羽根（３１）の揺動範囲内にある場合には、前記開閉板（２９）を介して前記第１吸込口（２１）を閉じる、
空調室内機（１０）。
【請求項２】
前記制御部（４０）は、風向モードとして、前記スイングモードと、前記風向調整羽根（３１）の前記傾斜角度を使用者の選択する角度に維持するマニュアルモードとが切換可能に設定されており、
前記マニュアルモードでは、所定角度範囲内で前記風向調整羽根（３１）の前記傾斜角度の選択が可能であり、
前記閾角度は、前記所定角度内に設定されており、
前記制御部（４０）は、前記マニュアルモードにおいて選択された前記風向調整羽根（３１）の前記傾斜角度が前記閾角度を超えているときは、前記開閉板（２９）を介して前記第１吸込口（２１）を閉じる、
請求項１に記載の空調室内機（１０）。
【請求項３】
前記閾角度を設定する閾角度設定手段をさらに備える、
請求項２に記載の空調室内機（１０）。
【請求項４】
前記揺動範囲の選択または設定を行う揺動範囲決定手段をさらに備える、
請求項２又は請求項３に記載の空調室内機（１０）。
【請求項５】
前記制御部（４０）は、前記風向調整羽根（３１）の前記揺動範囲が確定した後に、又は前記風向調整羽根（３１）の揺動動作が安定した後に前記第１吸込口（２１）を閉じる、
請求項４に記載の空調室内機（１０）。
【請求項６】
前記閾角度は、前記風向調整羽根（３１）の前記傾斜角度のうち、前記第１吸込口（２１）が開状態のときに前記吹出口から吹き出された前記調和空気が前記風向調整羽根（３１）を越えて前記第１吸込口（２１）に直に吸い込まれる現象を発生させない下方限界の角度である、
請求項１から請求項５のいずれか１項に記載の空調室内機（２）。
【発明の詳細な説明】
【技術分野】
【０００１】
本発明は、空調室内機に関する。
【背景技術】
【０００２】
近年、刊行物等によって、吹出口の下方または後方に吸込口が設けられている空調室内機が広く紹介されている。例えば、特許文献１（特開２００１−１１６３４６号公報）には、本体の前面上部および上面に上部吸込口を、本体の底面に下部吸込口を有している空調室内機が開示されている。下部吸込口には開閉板が回動自在に取り付けられている。特許文献１によれば、開閉板は、通常の運転中は下部吸込口を全開にし、運転停止中やメンテナンスを行う場合などには必要に応じて下部吸込口を閉じる。
【発明の概要】
【発明が解決しようとする課題】
【０００３】
しかしながら、上記のような空調室内機では、調和空気の吹出角度を調整する風向調整羽根がスイングモード中に特定の下向き姿勢になったとき、調和空気が風向調整羽根を越えて吸込口に直に吸い込まれる現象、いわゆるショートサーキットが発生し、能力が著しく低下する。
【０００４】
本発明の課題は、風向調整羽根の揺動範囲に基づいて吸込口を開状態にするか否かを決定し、ショートサーキットを未然に防止する空調室内機を提供することにある。
【課題を解決するための手段】
【０００５】
本発明の第１観点に係る空調室内機は、少なくとも２つの吸込口と調和空気を吹き出す吹出口とが設けられている壁掛け式の空調室内機であって、本体ケーシングと、開閉板と、風向調整羽根と、制御部とを備えている。本体ケーシングは、吹出口よりも下方または後方に位置する第１吸込口と、吹出口よりも上方に位置する第２吸込口とを有している。開閉板は、第１吸込口を開閉する。風向調整羽根は、水平面に対する傾斜角度を変更して調和空気の吹出角度を調整する。制御部は、スイングモードが設定されている。スイングモードは、風向調整羽根の傾斜角度を自動で変更することによって風向調整羽根を揺動させるモードである。風向調整羽根の傾斜角度がとり得る範囲の中に、制御部が第１吸込口の開閉の判断を行うための閾値となる閾角度が設定されている。制御部は、スイングモードにおいて、閾角度が風向調整羽根の揺動範囲内にある場合には、開閉板を介して第１吸込口を閉じる。
【０００６】
通常、風向は段階的に切換可能であるので風向が下向きに切り換えられたとき、吹出口よりも下方または後方に第１吸込口がある空調室内機では、ショートサーキットが発生し易い。それゆえ、風向調整羽根の傾斜角度をそれ以上大きくするとショートサーキットを発生させてしまう閾角度を予め設定しておき、風向設定によって決定された風向調整羽根の傾斜角度が閾角度よりも大きくなる風向設定では、第１吸込口を閉じ、ショートサーキットを防止する。
【０００７】
ところが、スイングモードでは、風向調整羽根の傾斜角度が閾角度よりも大きくなったり小さくなったりするので、その都度、第１吸込口を開閉した場合、ユーザーに視覚的不快感を与えるだけでなく、開閉板の動作時の音による聴覚的不快感をも与える懸念がある。
【０００８】
しかしながら、この空調室内機では、制御部が、スイングモードにおいて、傾斜角度が予め設定されている閾角度となる位置が揺動範囲にある場合には、開閉板を介して第１吸込口を閉じるので、ショートサーキットを防止するだけでなく、ユーザーに視覚的不快感および聴覚的不快感を与えることも防止することができる。
【０００９】
本発明の第２観点に係る空調室内機は、第１観点に係る空調室内機であって、制御部は、風向モードとして、スイングモードとマニュアルモードとが切換可能に設定されている。マニュアルモードは、風向調整羽根の傾斜角度を使用者の選択する角度に維持するモードである。マニュアルモードでは、所定角度範囲内で風向調整羽根の傾斜角度の選択が可能である。閾角度は、その所定角度内に設定されている。制御部は、マニュアルモードにおいて選択された風向調整羽根の傾斜角度が閾角度を超えているときは、開閉板を介して第１吸込口を閉じる。
【００１０】
この空調室内機では、風向調整羽根の傾斜角度をそれ以上大きくするとショートサーキットを発生させてしまう閾角度を予め設定しておき、風向設定によって決定された風向調整羽根の傾斜角度が閾角度よりも大きくなる風向設定では、第１吸込口を閉じ、ショートサーキットを防止する。
【００１１】
本発明の第３観点に係る空調室内機は、第２観点に係る空調室内機であって、閾角度を設定する閾角度設定手段をさらに備えている。
【００１２】
この空調室内機では、メーカー側にとってマイナーチェンジ等によって風向調整羽根の閾角度の変更が必要な場合は、容易に設定値を変更することができる。
【００１３】
また、サービスパーソンまたはユーザー側にとっても、空調室内機の据え付け位置によって予め設定されていた風向調整羽根の閾角度が適切でないような場合にはその閾角度を容易に変更することができるので、使い勝手がよい。
【００１４】
本発明の第４観点に係る空調室内機は、第２観点又は第３観点に係る空調室内機であって、揺動範囲の選択または設定を行う揺動範囲決定手段をさらに備えている。
【００１５】
この空調室内機では、メーカー側にとってマイナーチェンジ等によって風向調整羽根の揺動範囲の変更が必要な場合は、容易に変更することができる。
【００１６】
また、サービスパーソンまたはユーザー側にとっても、空調室内機の据え付け位置によって予め設定されていた風向調整羽根の揺動範囲が適切でないような場合にはその揺動範囲を容易に変更することができるので、使い勝手がよい。
【００１７】
本発明の第５観点に係る空調室内機は、第４観点に係る空調室内機であって、制御部が、風向調整羽根の揺動範囲が確定した後に、又は風向調整羽根の揺動動作が安定した後に第１吸込口を閉じる。
【００１８】
例えば、風向調整羽根の揺動範囲が確定しないまま、又は風向調整羽根の揺動動作が安定しないまま、開閉板が第１吸込口を閉じる動作に入った場合、その揺動範囲が確定するまで、又はその揺動動作が安定するまで開閉板の動作が繰り返されユーザーに不快感を与える。
【００１９】
しかし、この空調室内機では、風向調整羽根の揺動範囲が確定し、又はその揺動動作が安定した後に第１吸込口を閉じることによって、開閉板の不要な動作が省かれるので、ユーザーの不快感も解消される。
【００２０】
本発明の第６観点に係る空調室内機は、第１観点から第５観点のいずれか１つに係る空調室内機であって、閾角度が、風向調整羽根の傾斜角度のうち、第１吸込口が開状態のときに吹出口から吹き出された調和空気が風向調整羽根を越えて第１吸込口に直に吸い込まれる現象を発生させない下方限界の角度である。
【００２１】
この空調室内機では、制御部が、スイングモードにおいて、傾斜角度が予め設定されている閾角度となる位置が揺動範囲にある場合には、開閉板を介して第１吸込口を閉じるので、ショートサーキットを防止するだけでなく、ユーザーに視覚的不快感および聴覚的不快感を与えることも防止することができる。
【発明の効果】
【００２２】
本発明の第１観点又は第６観点に係る空調室内機では、制御部が、スイングモードにおいて、傾斜角度が予め設定されている閾角度となる位置が揺動範囲にある場合には、開閉板を介して第１吸込口を閉じるので、ショートサーキットを防止するだけでなく、ユーザーに視覚的不快感および聴覚的不快感を与えることも防止することができる。
【００２３】
本発明の第２観点に係る空調室内機では、風向調整羽根の傾斜角度をそれ以上大きくするとショートサーキットを発生させてしまう閾角度を予め設定しておき、風向設定によって決定された風向調整羽根の傾斜角度が閾角度よりも大きくなる風向設定では、第１吸込口を閉じ、ショートサーキットを防止する。
【００２４】
本発明の第３観点に係る空調室内機では、メーカー側にとってマイナーチェンジ等によって風向調整羽根の閾角度の変更が必要な場合は、容易に設定値を変更することができる。
【００２５】
また、サービスパーソンまたはユーザー側にとっても、空調室内機の据え付け位置によって予め設定されていた風向調整羽根の閾角度が適切でないような場合にはその閾角度を容易に変更することができるので、使い勝手がよい。
【００２６】
本発明の第４観点に係る空調室内機では、メーカー側にとってマイナーチェンジ等によって風向調整羽根の揺動範囲の変更が必要な場合は、容易に変更することができる。
【００２７】
また、サービスパーソンまたはユーザー側にとっても、空調室内機の据え付け位置によって予め設定されていた風向調整羽根の揺動範囲が適切でないような場合にはその揺動範囲を容易に変更することができるので、使い勝手がよい。
【００２８】
本発明の第５観点に係る空調室内機では、風向調整羽根の揺動範囲が確定し、又はその揺動動作が安定した後に第１吸込口を閉じることによって、開閉板の不要な動作が省かれるので、ユーザーの不快感も解消される。
【図面の簡単な説明】
【００２９】
【図１】運転時の空調室内機の斜視図。
【図２】図１における空調室内機の断面図。
【図３】空調室内機の制御ブロック図。
【図４Ａ】風向調整羽根の下向きの傾斜角度θが閾角度θｓより大きいときの下部吸込口の周辺の断面図。
【図４Ｂ】風向調整羽根の下向きの傾斜角度θが閾角度θｓより小さいときの下部吸込口周辺の断面図。
【図５】スイングモードにおける下部吸込口の開閉制御の制御フローチャート。
【発明を実施するための形態】
【００３０】
以下、図面を参照しながら、本発明の実施形態について説明する。なお、以下の実施形態は、本発明の具体例であって、本発明の技術的範囲を限定するものではない。
【００３１】
（１）空調室内機１０の構成
図１は、運転時の空調室内機１０の斜視図である。また、図２は、図１における空調室内機１０の断面図である。図１及び図２において、空調室内機１０には、本体ケーシング１１、室内熱交換器１３、室内ファン１４、底フレーム１６、及び制御部４０が搭載されている。
【００３２】
（１−１）本体ケーシング１１
本体ケーシング１１は、天面部１１ａ、前面パネル１１ｂ、背面板１１ｃ及び下部水平板１１ｄを有し、内部に室内熱交換器１３、室内ファン１４、底フレーム１６、フィルタ２４、及び制御部４０を収納している。
【００３３】
天面部１１ａは、本体ケーシング１１の上部に位置し、天面部１１ａの前部には、上部吸込口１２が設けられている。
【００３４】
前面パネル１１ｂは空調室内機１０の前面部を構成しており、吸込開口がない湾曲した形状を成している。また、前面パネル１１ｂは、その上端が天面部１１ａに回動自在に支持され、ヒンジ式に動作することができる。
【００３５】
（１−２）フィルタ２４
上部吸込口１２と室内熱交換器１３との間にはフィルタ２４が配置されている。フィルタ２４は、上部吸込口１２から吸い込まれた空気に含まれる塵埃を除去する。なお、フィルタ２４は、フィルタ自動清掃ユニット２５に組み込まれた状態で本体ケーシング１１に収納されている。
【００３６】
（１−３）室内熱交換器１３
室内熱交換器１３は、通過する空気との間で熱交換を行う。また、室内熱交換器１３は、側面視において両端が下方に向いて屈曲する逆Ｖ字状の形状を成す。
【００３７】
（１−４）室内ファン１４
図２において、室内ファン１４は、室内熱交換器１３の下方に位置する。室内ファン１４は、クロスフローファンであり、室内から取り込んだ空気を、室内熱交換器１３に当てて通過させた後、室内に吹き出す。室内ファン１４および室内熱交換器１３は、底フレーム１６に取り付けられている。
【００３８】
（１−５）垂直風向調整板２０
図１に示すように、垂直風向調整板２０は、本体ケーシング１１の吹出口１５より奥側に配置されている。垂直風向調整板２０は、複数の羽根片２０１と、複数の羽根片２０１を連結する連結棒２０３を有している。
【００３９】
複数枚の羽根片２０１は、連結棒２０３が吹出口１５の長手方向に沿って水平往復移動することによって、その長手方向に対して垂直な状態を中心に左右に揺動する。なお、連結棒２０３は、ステッピングモータ（図示せず）によって水平往復移動する。
【００４０】
（１−６）風向調整羽根３１
吹出口１５が、本体ケーシング１１の下部に設けられている。吹出口１５には、吹出口１５から吹き出される調和空気の方向を変更する風向調整羽根３１が回動自在に取り付けられている。風向調整羽根３１は、ステッピングモータ（図示せず）によって駆動し、調和空気の吹き出し方向を変更するだけでなく、吹出口１５を開閉することもできる。風向調整羽根３１は、傾斜角が異なる複数の姿勢をとることが可能である。
【００４１】
（１−７）コアンダ羽根３２
また、吹出口１５の近傍にはコアンダ羽根３２が設けられている。コアンダ羽根３２は、ステッピングモータ（図示せず）によって前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００４２】
本実施形態の空調室内機１０は、調和空気の吹き出し方向を制御する手段として、風向調整羽根３１のみを回動させて調和空気の吹き出し方向を調整する通常吹出モードと、風向調整羽根３１及びコアンダ羽根３２を回動させてコアンダ効果によって調和空気をコアンダ羽根３２の外側面３２ａに沿わせたコアンダ気流にして調整するコアンダ効果利用モードとを有している。
【００４３】
なお、コアンダ（効果）とは、気体や液体の流れのそばに壁があると、流れの方向と壁の方向とが異なっていても、壁面に沿った方向に流れようとする現象である（朝倉書店「法則の辞典」）。
【００４４】
（１−８）吹出流路１８と吸込流路２２
また、吹出口１５は、吹出流路１８によって本体ケーシング１１の内部と繋がっている。吹出流路１８は、吹出口１５から底フレーム１６のスクロール１７に沿って形成されている。
【００４５】
室内空気は、室内ファン１４の稼動によって上部吸込口１２、室内熱交換器１３を経て室内ファン１４に吸い込まれ、室内ファン１４から吹出流路１８を経て吹出口１５から吹き出される。
【００４６】
さらに本体ケーシング１１の下面部には、下部吸込口２１が吹出口１５よりも壁側に設けられている。下部吸込口２１は、吸込流路２２によって本体ケーシング１１の内部と繋がっており、吸込流路２２は下部吸込口２１からスクロール１７に沿って形成されている。つまり、吸込流路２２は、スクロール１７を挟んで吹出流路１８と隣接している。
【００４７】
開閉板２９が開状態のとき、下部吸込口２１近傍の室内空気は、室内ファン１４の稼動によって下部吸込口２１、吸込流路２２、フィルタ２４及び室内熱交換器１３を経て室内ファン１４に吸い込まれ、室内ファン１４から吹出流路１８を経て吹出口１５から吹き出される。
【００４８】
（１−９）制御部４０
図３は、空調室内機１０の制御ブロック図である。図３において、制御部４０は、ＣＰＵ４１とメモリ４２とを搭載している。制御部４０は、垂直風向調整板２０のステッピングモータ２０８、風向調整羽根３１のステッピングモータ３１８、コアンダ羽根３２のステッピングモータ３２８、及び開閉板２９のステッピングモータ３０８に接続されている。
【００４９】
また、制御部４０は、遠隔操作装置（以下「リモコン４５」とよぶ）と赤外線信号の送受信を行う。ユーザーは、制御部４０に対しリモコン４５を介して風向設定、閾角度設定、及びスイング範囲設定などの指令を送信することができる。それゆえ、リモコン４５には、風向設定部４５１、閾角度設定部４５３、及びスイング範囲設定部４５５が設けられている。
【００５０】
制御部４０では、風向調整羽根３１の動作モードとして、スイングモードとマニュアルモードとが切換可能に設定されており、風向設定部４５１によって切り換えることができる。なお、スイングモードとは、風向調整羽根３１の水平面に対する傾斜角度を自動で変更することによって風向調整羽根３１を揺動させるモードである。マニュアルモードとは、風向調整羽根３１の水平面に対する傾斜角度を使用者の選択する角度に維持するモードである。
【００５１】
（２）細部構成
（２―１）下部吸込口２１の開閉機構３０
図４Ａは、風向調整羽根３１の下向きの傾斜角度θが閾角度θｓより大きいときの下部吸込口２１周辺の断面図である。また、図４Ｂは、風向調整羽根３１の下向きの傾斜角度θが閾角度θｓより小さいときの下部吸込口２１周辺の断面図である。
【００５２】
図４Ａにおいて、下部吸込口２１には、開閉機構３０が設置されている。開閉機構３０は、回動式の開閉板２９と、その開閉板２９を回動させるステッピングモータ３０８を含む。
【００５３】
開閉板２９は、下部吸込口２１の開口に嵌り込んで下部吸込口２１を塞ぐことができる大きさである。開閉板２９の回動軸３０７は下部吸込口２１の長手方向両端部の上方に位置している。開閉板２９と回動軸３０７とは、ヒンジリンク３０９とで連結されている。
【００５４】
また、開閉板２９が下部吸込口２１を閉じる閉位置において、回動軸３０７は開閉板２９の上方で且つ開閉板２９の幅方向の中央よりも吹出口１５寄りに位置している。それゆえ、回動軸３０７が図４ＡにおいてＣＷ方向に９０°回動することによって、開閉板２９は、その外面が下部吸込口２１の前方縁（吹出口１５に近い側の縁）に近接した鉛直姿勢となる。
【００５５】
その結果、図４Ｂに示すように、開閉板２９は下部吸込口２１から鉛直下方へ僅かに突出した状態となる。その突出寸法は、開閉板２９の幅方向寸法の半分以下が好ましい。なぜなら、空調室内機１０の取り付け位置がカーテンレールの真上にあるような場合、開閉板２９の突出寸法が長過ぎるとカーテンレールと干渉するからである。
【００５６】
この場合、開閉板２９の突出寸法が短いので、吹出口１５から下部吸込口２１の方向に流れ出た気流の遮断が不十分となり、ショートサーキットが発生する可能性がある。それゆえ、風向調整羽根３１の傾斜角度θが下向きに閾角度θｓより大きい場合には、下部吸込口２１を閉じる制御によって、ショートサーキットを未然に防止する。つまり、閾角度θｓは、風向調整羽根３１の傾斜角度θのうち、ショートサーキットを発生させない下向きの限界角度と言える。
【００５７】
ここで、ショートサーキットとは、下部吸込口２１が開状態のときに吹出口１５から吹き出された調和空気が風向調整羽根３１を越えて下部吸込口２１に直に吸い込まれる現象をいう。
【００５８】
本実施形態では、断面が円弧形状の風向調整羽根３１を採用しているので、風向調整羽根３１の水平面に対する傾斜角度θを認定する際には、図４Ａ及び図４Ｂに示すように、風向調整羽根３１の上面前端Ｆと上面後端Ｒとを結んだ直線と水平面との角度をもって傾斜角度θとしている。
【００５９】
（２−２）リモコン４５の風向設定部４５１
風向設定部４５１は、風向モードをマニュアルモード及びスイングモードのいずれか一方を選択させる構成になっている。さらに、マニュアルモードを選択した場合、所定角度範囲内で風向調整羽根３１の傾斜角度θの選択が可能である。
【００６０】
例えば、風向調整羽根３１がスイングモードで動作中に、使用者が風向モードをマニュアルモードへ切り換えた場合、風向調整羽根３１はその切り換え操作直後の傾斜角度θで停止し、使用者が風向設定をしなければその傾斜角度θはそのまま維持される。
【００６１】
さらに、風向は段階的に切換可能であり、例えば上向きから下向きへ５段階の風向設定が可能である。したがって、使用者が風向モードをマニュアルモードへ切り換えた場合、風向調整羽根３１はその切り換え操作直後の傾斜角度θで停止するが、使用者が５段階の風向から一の風向を選択することによってその風向に設定維持される。
【００６２】
なお、閾角度θｓは、上記所定角度範囲内に設定されており、ショートサーキット防止のため、制御部４０が下部吸込口２１の開閉の判断を行うための閾値となる。
【００６３】
（２−３）リモコン４５の閾角度設定部４５３
制御部４０では、風向調整羽根３１の水平面に対する傾斜角度のうち、ショートサーキットを発生させない下方限界の角度である閾角度θｓの設定が可能であり、閾角度設定部４５３（図３参照）によって設定することができる。
【００６４】
この閾角度θｓは、空調室内機１０の機種によっては異なることがあるので、空調室内機１０が工場出荷される際に設定される。それゆえ、メーカー側がマイナーチェンジ等によって風向調整羽根３１の閾角度θｓの変更が必要な場合は、容易に設定値を変更することができる。
【００６５】
また、サービスパーソンまたはユーザー側にとっても、空調室内機１０の据え付け位置によって予め設定されていた風向調整羽根３１の閾角度θｓが適切でないような場合にはその閾角度θｓを容易に変更することができるので、使い勝手がよい。
【００６６】
（２−４）リモコン４５のスイング範囲設定部４５５
また、制御部４０では、風向調整羽根３１のスイングモードにおけるスイング範囲を設定が可能であり、スイング範囲設定部４５５によって設定することができる。
【００６７】
スイング範囲は、空調室内機１０の機種によっては異なることがあるので、空調室内機１０が工場出荷される際に設定される。それゆえ、メーカー側にとってマイナーチェンジ等によって風向調整羽根３１のスイング範囲の変更が必要な場合には、容易にそれを変更することができる。
【００６８】
また、サービスパーソンまたはユーザー側にとっても、空調室内機１０の据え付け位置によって予め設定されていた風向調整羽根３１のスイング範囲が適切でないような場合にはそのスイング範囲を容易に変更することができるので、使い勝手がよい。
【００６９】
（３）下部吸込口２１の開閉制御
（３−１）マニュアルモードによる風向設定時の下部吸込口２１の開閉制御
例えば、ユーザーがリモコン４５の風向設定部４５１を介して風向調整羽根３１の傾斜角度θを変更し、変更後の傾斜角度θを確定したとき、その確定後の傾斜角度θが下向きに閾角度θｓより大きかった場合、制御部４０は、開閉板２９を介して下部吸込口２１を閉じて、ショートサーキットの発生を防止する。
【００７０】
逆に、ユーザーがリモコン４５の風向設定部４５１を介して風向調整羽根３１の傾斜角度θを変更し、変更後の傾斜角度θを確定したとき、その確定後の傾斜角度θが閾角度θｓより小さくなった場合、制御部４０は、ショートサーキットの発生はないと判断して、閉じていた下部吸込口２１を開ける。
【００７１】
但し、制御部４０が、開閉板２９を介して下部吸込口２１を開閉するのは、風向調整羽根３１の傾斜角度θへの動作が完了した後である。なぜなら、ユーザーが風向調整羽根３１による風向設定を繰り返している間は、風向調整羽根３１の姿勢（傾斜角度）は確定しておらず、風向調整羽根３１の姿勢が確定しないまま、開閉板２９が下部吸込口２１を閉じる動作に入った場合、風向が設定される毎に開閉板２９の動作が繰り返され、ユーザーに不快感を与えるからである。しかし、風向調整羽根３１の動作が完了した後に開閉板２９が下部吸込口２１を開閉する動作に入ることによって、開閉板２９の不要な動作が省かれるので、ユーザーの不快感も解消される。
【００７２】
なお、制御部４０は、ステッピングモータ３１８へ入力するパルス数および／又はステッピングモータ３１８の励磁状態に基づいて風向調整羽根３１の動作が完了したか否かを判定している。ステッピングモータ３１８には、風向調整羽根３１が現在位置から狙いの傾斜角度θとなる位置までに相当する目標パルスが入力されるので、入力パルス数が目標パルスに到達するまでの間は風向調整羽根３１の動作が完了しない。したがって、ステッピングモータ３１８への入力パルス数に基づいて風向調整羽根３１の動作の完了を合理的に判定することができる。
【００７３】
また、ステッピングモータ３１８にパルスが入力されている間は、ステッピングモータ３１８は励磁状態であるので、励磁状態であるか否かによっても風向調整羽根３１の動作完了を合理的に判定するができる。
【００７４】
（３−２）スイングモードにおける下部吸込口２１の開閉制御
スイングモードでは、風向調整羽根３１の傾斜角度θが閾角度θｓよりも大きくなったり小さくなったりするので、その都度、開閉板２９が下部吸込口２１を開閉した場合、ユーザーに視覚的不快感を与えるだけでなく、開閉板２９の動作時の音による聴覚的不快感をも与える懸念がある。
【００７５】
そこで、本実施形態では、ユーザーがリモコン４５の風向設定部４５１を介してスイングモードに設定したとき、風向調整羽根３１の傾斜角度θが閾角度θｓとなる位置がスイング範囲にある場合には、制御部４０は風向調整羽根３１の確定した或いは安定したスイング動作を検知した後に、開閉板２９を介して下部吸込口２１を閉じるようにし、その後に正規のスイングモードを実行するようにしている。以下、フローチャートを用いて、その詳細を説明する。
【００７６】
図５は、スイングモードにおける下部吸込口２１の開閉制御の制御フローチャートである。図５において、制御部４０は、ステップＳ１で「スイングモードの設定指令があるか否か」を判定し、スイングモードの設定指令があるときはステップＳ２へ進み、スイングモードの設定指令がないときは待機して、「スイングモードの設定指令があるか否か」の判定を継続する。
【００７７】
次に、制御部４０は、ステップＳ２で「風向調整羽根３１の閾位置（傾斜角度θが閾角度θｓとなる位置）が揺動範囲（スイング範囲）内であるか否か」を判定し、閾位置がスイング範囲内であるときはステップＳ３へ進み、閾位置がスイング範囲内でないときはステップＳ４へ進む。
【００７８】
制御部４０は、ステップＳ３で開閉板２９を介して下部吸込口２１を閉じる。これによって、風向調整羽根３１の傾斜角度θが閾角度θｓよりも大きくなったり小さくなったりしても、その都度、開閉板２９が下部吸込口２１を開閉することはなく、ユーザーに視覚的不快感および聴覚的不快感を与えることがない。
【００７９】
なお、制御部４０がステップＳ２で「閾位置がスイング範囲内でない」と判定してステップＳ４へ進んだ場合は、ステップＳ４において開閉板２９を介して下部吸込口２１を開ける、或いは、当初から開いている場合はそのまま開状態を維持する。なぜなら、風向調整羽根３１の傾斜角度θが閾角度θｓよりも大きくなることがないので、下部吸込口２１を開状態に維持していても、ショートサーキットが発生しないからである。
【００８０】
最後に、制御部４０は、ステップＳ５においてスイングモードを実行する。
【００８１】
（４）下部吸込口２１の開閉制御の具体例
（４−１）具体例Ａ
例えば、空調室内機１０の据え付け位置の下方に家具があり、吹き出された調和空気の方向がその家具によって偏向され、風向調整羽根３１が予め設定されていた閾角度θｓに到達する前にショートサーキットが発生するような場合、閾角度θｓがそのまま維持されることは適切でない。そのような場合、サービスパーソンは、閾角度設定部４５３を介して閾角度θｓを初期設定知よりも小さい値に設定することができる。したがって、変更後の閾角度θｓにおける風向調整羽根３１は、変更前に比べて上向きとなる。
【００８２】
空調室内機１０の据え付け後、ユーザーは何も知らずにマニュアルモードで風向調整羽根３１の傾斜角度θを変更後の閾角度θｓより大きく設定し、吹き出された調和空気の方向が家具によって偏向されてショートサーキットを引き起こしそうな状態になっても、下部吸込口２１が閉じるので、ショートサーキットの発生は回避される。
【００８３】
他方、閾角度θｓの変更の影響として、変更前は閾位置（風向調整羽根３１の傾斜角度θが閾角度θｓとなる位置）が風向調整羽根３１のスイングモードのスイング範囲内に入っていなかったのに対し、変更後は閾位置が風向調整羽根３１のスイング範囲内に入ってしまい、風向調整羽根３１が閾位置を超えて下向きになっているにも拘わらず下部吸込口２１が開いたままになる、という不都合な事態が想定される。
【００８４】
しかしながら、上記ステップＳ１〜Ｓ５の制御が行われることによって、制御部４０が、スイングモードにおいて閾位置が風向調整羽根３１のスイング範囲にある場合には、開閉板２９を介して下部吸込口２１を閉じる。よって、上記のような不都合な事態が回避される。
【００８５】
（４−２）具体例Ｂ
例えば、空調室内機１０の据え付け位置が標準よりも高位置になったため、予め設定されていた風向調整羽根３１のスイング範囲では空調室内機１０の下方から前下方にかけて広範囲に調和空気が届かない状態になるような場合、スイング範囲がそのまま維持されることは適切でない。そのような場合、サービスパーソンは、スイング範囲設定部４５５を介してスイング範囲を初期設定知よりも広く、つまり、下向きにより大きく設定することができる。
【００８６】
他方、スイング範囲の変更の影響として、変更前は閾位置が風向調整羽根３１のスイング範囲内に入っていなかったのに対し、変更後は閾位置が風向調整羽根３１のスイング範囲内に入ってしまい、風向調整羽根３１が閾位置を超えて下向きになっているにも拘わらず下部吸込口２１が開いたままになる、という不都合な事態が想定される。
【００８７】
しかしながら、上記ステップＳ１〜Ｓ５の制御が行われることによって、制御部４０が、スイングモードにおいて閾位置が風向調整羽根３１のスイング範囲にある場合には、開閉板２９を介して下部吸込口２１を閉じる。よって、上記のような不都合な事態が回避される。
【００８８】
（５）特徴
（５−１）
以上のように、空調室内機１０では、制御部４０が、スイングモードにおいて閾位置（風向調整羽根３１の傾斜角度θが閾角度θｓとなる位置）が風向調整羽根３１のスイング範囲にある場合には、開閉板２９を介して下部吸込口２１を閉じるので、ショートサーキットを防止することができる。
【００８９】
また、風向調整羽根３１が閾位置を挟んでスイングするたびに開閉板２９が下部吸込口２１を開閉する事態を回避することができるので、ユーザーに視覚的不快感および聴覚的不快感を与えることも防止することができる。
【００９０】
（５−２）
風向調整羽根３１のスイング範囲が確定しないまま、又は風向調整羽根３１のスイング動作が安定しないまま、開閉板２９が下部吸込口２１を閉じる動作に入った場合、そのスイング範囲が確定するまで、又はそのスイング動作が安定するまで開閉板２９の動作が繰り返されるが、制御部４０は、風向調整羽根３１のスイング範囲が確定した後に、又は風向調整羽根３１のスイング動作が安定した後に下部吸込口２１を閉じるので、開閉板２９の不要な動作が省かれ、ユーザーに不快感を与えることもない。
【００９１】
（５−３）
制御部４０では、風向調整羽根３１の水平面に対する傾斜角度θのうち、ショートサーキットを発生させない下方限界の角度である閾角度θｓの設定が可能であり、閾角度設定部４５３によって設定することができる。
【００９２】
それゆえ、メーカー側がマイナーチェンジ等によって風向調整羽根３１の閾角度θｓの変更が必要な場合は、容易に設定値を変更することができる。
【００９３】
また、サービスパーソンまたはユーザー側にとっても、空調室内機１０の据え付け位置によって予め設定されていた風向調整羽根３１の閾角度θｓが適切でないような場合にはその閾角度θｓを容易に変更することができるので、使い勝手がよい。
【００９４】
（５−４）
制御部４０では、風向調整羽根３１のスイングモードにおけるスイング範囲を設定が可能であり、スイング範囲設定部４５５によって設定することができる。
【００９５】
それゆえ、メーカー側にとってマイナーチェンジ等によって風向調整羽根３１のスイング範囲の変更が必要な場合には、容易にそれを変更することができる。
【００９６】
また、サービスパーソンまたはユーザー側にとっても、空調室内機１０の据え付け位置によって予め設定されていた風向調整羽根３１のスイング範囲が適切でないような場合にはそのスイング範囲を容易に変更することができるので、使い勝手がよい。
【産業上の利用可能性】
【００９７】
以上のように、本願発明は、複数の吸込口を有し、少なくとも１つの吸込口が吹出口の下方または後方に吸込口が設けられている空調室内機に有用である。
【符号の説明】
【００９８】
１０  空調室内機
１１  ケーシング
１２  上部吸込口（第２吸込口）
２１  下部吸込口（第１吸込口）
２９  開閉板
３１  風向調整羽根
４０  制御部
４５３  閾角度設定部（閾角度設定手段）
４５５  スイング範囲設定部（揺動範囲設定部）
【先行技術文献】
【特許文献】
【００９９】
【特許文献１】特開２００１−１１６３４６号公報
【図１】
2014156950.tif 000003
【図２】
2014156950.tif 000004
【図３】
2014156950.tif 000005
【図４Ａ】
2014156950.tif 000006
【図４Ｂ】
2014156950.tif 000007
【図５】
2014156950.tif 000008